(57)【要約】　　　（修正有）【課題】移動端末が支援可能な位置情報提供機能及びサービス要請形態に従い、セル基盤及びジーピーエス基盤の位置基盤サービスを提供する。【解決手段】モバイル位置基盤サービスシステム及び方法に関し、位置基盤サービスを要請されて移動端末の位置基盤サービスを提供するための応用サーバーと、提供できる位置基盤サービスの種類に従い移動端末の位置を識別して応用サーバーに伝送させる位置情報提供システムで構成され、移動通信加入者の移動端末の機能及びサービス要請形態に従いセル基盤、又はジーピーエス基盤で選択的に位置基盤サービスを提供することができ、ジーピーエス基盤で位置基盤サービスを提供する場合、Ｎｏ７信号網を介したＳＭＤＰＰ（ＳＭＳＤｅｌｉｖｅｒｙＰｏｉｎｔＴｏＰｏｉｎｔ）メッセージを介して位置基盤サービスを提供することになって、移動端末の音声通話使用中にもサービスが可能になる。【選択図】図１
2004080746.tif 000002
【特許請求の範囲】
【請求項１】
ウェブサーバーとの接続を介して移動通信加入者の移動端末の位置基盤サービスを提供するための装置において、
位置基盤サービスを要請されて移動端末に対する位置情報を要請し、要請された結果に応じて位置基盤サービスを提供するための応用サーバーと；
前記応用サーバーからの位置情報要請を受信し、要請された移動端末の識別番号に基づいて移動端末の属するモバイル　スイッチング　センターを照会し、該当モバイル　スイッチング　センターが提供することができる位置情報サービスの種類に従い移動端末の位置を識別し、前記応用サーバーに伝送させる位置情報提供システムで構成されることを特徴とするセル基盤、及びジーピーエス基盤の位置基盤サービスを提供することができるモバイル位置基盤サービス　システム。
【請求項２】
前記位置基盤情報提供システムは、前記応用サーバーからの位置情報サービスの要請を受信して位置情報の結果を応答するモバイル位置センターと；
モバイル　スイッチング　センターが提供することができるサービスがジーピーエス基盤の場合に、前記モバイル位置センターの制御に従い前記モバイル　スイッチング　センターを介して移動端末の位置を決定し出力する位置決定装置を含むことを特徴とする請求項１記載のセル基盤、及びジーピーエス基盤の位置基盤サービスを提供することができるモバイル位置基盤サービス　システム。
【請求項３】
前記位置基盤情報提供システムは、モバイル　スイッチング　センターと位置決定装置間にＳＭＤＰＰメッセージを用いてデータが伝送されることを特徴とする請求項１記載のジーピーエス基盤の位置基盤サービスを提供することができるモバイル位置基盤サービス　システム。
【請求項４】
前記位置基盤情報提供システムは、前記応用サーバーからの位置情報サービスの要請を受信して位置情報の結果を応答するモバイル位置センターと；
着信端末がローミングされたモバイル　スイッチング　センターがジーピーエス基盤位置サービス機能を支援する場合に、前記モバイル位置センターの制御に従い移動端末の属するモバイル　スイッチング　センターを介し、移動端末の位置を決定し出力する位置決定装置を含むことを特徴とする請求項１記載のセル基盤、及びジーピーエス基盤の位置基盤サービスを提供することができるモバイル位置基盤サービス　システム。
【請求項５】
前記位置基盤情報提供システムは、前記応用サーバーからの位置情報サービスの要請を受信して位置情報の結果を応答するモバイル位置センターと；
移動端末がジーピーエス機能を支援しない場合に、移動端末が含まれたモバイル　スイッチング　センターの位置に対する情報を、前記モバイル位置センターに伝送させる加入者位置登録器を含むことを特徴とする請求項１記載のセル基盤、及びジーピーエス基盤の位置基盤サービスを提供することができるモバイル位置基盤サービス　システム。
【請求項６】
前記位置基盤情報提供システムのモバイル位置センターは、加入者位置登録器で移動端末のＳＭＳＡＤＤＲを照会することを特徴とする請求項１記載のセル基盤、及びジーピーエス基盤の位置基盤サービスを提供することができるモバイル位置基盤サービス　システム。
【請求項７】
モバイル　スイッチング　センターで無線通信網加入者の移動端末をスイッチングさせ、位置決定装置からの要請に応じてジーピーエスにより前記移動端末の位置を測定して前記位置決定装置に提供するための方法において、
位置決定装置からＳＭＤＰＰメッセージを受信し、受信されたＳＭＤＰＰメッセージに含まれたデータ　メッセージを抽出する段階と；
前記ＳＭＤＰＰメッセージが位置基盤サービスを開始する場合に、該当する移動端末のトラフィック　チャネルが割り当てられているのかを確認する段階；
該当する移動端末にトラフィック　チャネルが割り当てられている場合は、割り当てられているトラフィック　チャネルを用いて前記データ　メッセージを移動端末に伝送させる段階；
該当する移動端末にトラフィック　チャネルが割り当てられていない場合はトラフィック　チャネルを新たに割り当て、割り当てられたトラフィック　チャネルを用いて前記データ　メッセージを移動端末に伝送させる段階；及び
移動端末からの応答メッセージに基づき、位置決定装置に応答する段階で構成されることを特徴とするモバイル位置基盤サービス方法。
【請求項８】
前記移動端末のトラフィック　チャネルが割り当てられているのかを確認する段階は、前記ＳＭＤＰＰメッセージに含まれたパラメータが資源解除の場合は該当移動端末の呼が存在するかを確認する段階と；
前記確認する段階で呼が存在する場合は、位置基盤サービス　セッションのみを解除する段階；及び
前記確認する段階で呼が存在しない場合は、トラフィック　チャネルを解除する段階で構成されることを特徴とする請求項７記載のモバイル位置基盤サービス方法。
【請求項９】
前記解除する段階は、移動端末から受信された応答メッセージを位置決定装置に伝送させる段階を含むことを特徴とする請求項８記載のモバイル位置基盤サービス方法。
【請求項１０】
前記データ　メッセージを移動端末に伝送させる段階で、ＳＭＳテレサービス識別子フィールドの長さを０にすることを特徴とする請求項７記載のモバイル位置基盤サービス方法。
【請求項１１】
前記モバイル　スイッチング　センターで位置基盤サービス方法は、位置基盤サービス中に短文メッセージが着信されると短文メッセージを保留させる段階と；
位置基盤サービスが完了すると、短文メッセージ確認メッセージを伝送させて応答する段階；
短文メッセージ着信を行う段階を含むことを特徴とする請求項７記載のモバイル位置基盤サービス方法。
【請求項１２】
前記短文メッセージ着信を行う段階で位置基盤サービス進行中に短文メッセージ着信の時、短文メッセージ　センター（ＳＭＣ）に短文メッセージ伝送が遅延されたことを示す応答メッセージを伝送させる段階を含むことを特徴とする請求項１１記載のモバイル位置基盤サービス方法。
【請求項１３】
前記モバイル　スイッチング　センターで位置基盤サービス方法は、ハンドオフが開始されると移動端末の呼があるのか確認する段階と；
前記確認する段階で呼のある場合は、位置基盤サービスのみ終了させる段階；及び
前記確認する段階で呼のない場合は、位置基盤サービスを終了させる段階を含むことを特徴とする請求項７記載のモバイル位置基盤サービス方法。
【請求項１４】
前記位置基盤サービスを終了させる段階は、トラフィック　チャネルを解除させる段階を含むことを特徴とする請求項１３記載のモバイル位置基盤サービス方法。
【請求項１５】
前記終了させる段階は、位置決定装置にネットワーク　インタフェースが支援されないことを示すメッセージを伝送させることを特徴とする請求項１３記載のモバイル位置基盤サービス方法。
【請求項１６】
前記モバイル　スイッチング　センターで位置基盤サービス方法は、位置基盤サービスがアイドル状態の移動端末から始まり、移動端末が発信を試みた場合は位置基盤サービスを終了した後、一般の呼発信処理手続きを行う段階を含むことを特徴とする請求項７記載のモバイル位置基盤サービス方法。
【請求項１７】
前記一般の呼発信処理手続きを行う段階は、位置決定装置に位置基盤サービスセッションが活性化されていないことを示すメッセージを伝送させる段階を含むことを特徴とする請求項１６記載のモバイル位置基盤サービス方法。
【請求項１８】
前記モバイル　スイッチング　センターで位置基盤サービス方法は、位置基盤サービスがアイドル状態の移動端末から始まり、移動端末が着信を試みた場合は位置基盤サービス　セッションを終了させる段階を含むことを特徴とする請求項７記載のモバイル位置基盤サービス方法。
【請求項１９】
前記位置基盤サービス　セッションを終了させる段階は、位置決定装置に移動端末がビジー状態であることを示すメッセージを伝送させる段階を含むことを特徴とする請求項１８記載のモバイル位置基盤サービス方法。
【請求項２０】
前記モバイル　スイッチング　センターで位置基盤サービス方法は、位置基盤サービスがビジー状態の移動端末から始まり、移動端末が呼を終了する場合に、位置基盤サービス　セッションを終了させる段階を含むことを特徴とする請求項７記載のモバイル位置基盤サービス方法。
【請求項２１】
前記位置基盤サービス　セッションを終了させる段階は、位置決定装置に位置基盤サービス　セッションが活性化されていないことを示すメッセージを伝送させる段階を含むことを特徴とする請求項２０記載のモバイル位置基盤サービス方法。
【請求項２２】
前記モバイル　スイッチング　センターで位置基盤サービス方法は、位置基盤サービスが進められる中に移動端末とのトラフィック　チャネルが断絶された場合は、位置基盤サービス　セッションを終了する段階を含むことを特徴とする請求項７記載のモバイル位置基盤サービス方法。
【請求項２３】
前記位置基盤サービス　セッションを終了する段階は、移動端末から解除メッセージを受信した場合には、位置決定装置にセッションが活性化されていないことを示すメッセージを伝送させる段階を含むことを特徴とする請求項２２記載のモバイル位置基盤サービス方法。
【請求項２４】
前記位置基盤サービス　セッションを終了する段階は、移動端末からの確認メッセージ受信時間が経過した場合に、位置決定装置に確認されていないことを示すメッセージを伝送させる段階を含むことを特徴とする請求項２２記載のモバイル位置基盤サービス方法。
【請求項２５】
前記モバイル　スイッチング　センターで位置基盤サービス方法は、位置基盤サービス中移動端末から無線データ接続が行われる場合は位置基盤サービス　セッションを終了させた後、無線データ接続手続きを行う段階を含むことを特徴とする請求項７記載のモバイル位置基盤サービス方法。
【請求項２６】
前記無線データ接続手続きを行う段階は、位置決定装置にセッションが活性化されていないことを示すメッセージを伝送させる段階を含むことを特徴とする請求項２５記載のモバイル位置基盤サービス方法。
【請求項２７】
前記モバイル　スイッチング　センターで位置基盤サービス方法は、位置基盤サービスが進められる中に移動電源のオフが感知されると、位置基盤セッションを終了させる段階を含むことを特徴とする請求項７記載のモバイル位置基盤サービス方法。
【請求項２８】
前記位置基盤サービス　セッションを終了させる段階は、位置決定装置にセッションが活性化されていないことを示すメッセージを伝送させる段階を含むことを特徴とする請求項２７記載のモバイル位置基盤サービス方法。
【請求項２９】
前記モバイル　スイッチング　センターで位置基盤サービス方法は、位置基盤サービスが進められる中に移動端末のバッテリーの分離が感知されると、位置基盤サービス　セッションを終了させる段階を含むことを特徴とする請求項７記載のモバイル位置基盤サービス方法。
【請求項３０】
前記位置基盤サービス　セッションを終了させる段階は、移動端末から解除メッセージを受信した場合には、位置決定装置にセッションが活性化されていないことを示すメッセージを伝送させる段階を含むことを特徴とする請求項２９記載のモバイル位置基盤サービス方法。
【請求項３１】
前記位置基盤サービス　セッションを終了させる段階は、移動端末からの確認メッセージ受信時間が経過した場合に、位置決定装置に確認されていないことを示すメッセージを伝送させる段階を含むことを特徴とする請求項２９記載のモバイル位置基盤サービス方法。
【請求項３２】
前記モバイル　スイッチング　センターで位置基盤サービス方法は、位置決定装置からＳＭＤＰＰ要請メッセージを受信するごとにタイマーを開始させる段階を含むことを特徴とする請求項７記載のモバイル位置基盤サービス方法。
【請求項３３】
前記タイマーを開始させる段階は、設けられたタイマーが終了すると位置基盤サービスを終了させる段階を含むことを特徴とする請求項３２記載のモバイル位置基盤サービス方法。
【請求項３４】
前記位置基盤サービスを終了させる段階は、ＳＭＤＰＰメッセージが資源割当の場合に、位置決定装置にページングに対する応答のないことを示すメッセージを伝送させる段階を含むことを特徴とする請求項３３記載のモバイル位置基盤サービス方法。
【請求項３５】
前記位置基盤サービスを終了させる段階は、トラフィック　チャネルの割当てが失敗した場合は位置決定装置にインタフェース問題があることを示すメッセージを伝送させる段階を含むことを特徴とする請求項３３記載のモバイル位置基盤サービス方法。
【請求項３６】
前記位置基盤サービスを終了させる段階は、移動端末から確認メッセージが受信されない場合は位置決定装置に確認のないことを示すメッセージを伝送させる段階を含むことを特徴とする請求項３３記載のモバイル位置基盤サービス方法。
【発明の詳細な説明】
〔発明の目的〕
〔発明が属する技術分野及びその分野の従来技術〕
本発明は移動端末の位置基盤サービスに関し、さらに具体的には位置基盤サービス要請の種類に従いセル基盤位置サービス、又はジーピーエス（ＧＰＳ；Ｇｌｏｂａｌ　Ｐｏｓｉｔｉｏｎｉｎｇ　Ｓｙｓｔｅｍ）基盤位置サービスを選択的に適用させ、移動端末に対する位置基盤サービスを提供することができるモバイル位置基盤サービス　システムに関する。
【０００１】
近来に移動端末（例えば、携帯フォン）に対する技術が発展することに伴い、移動端末に提供することができるサービスの種類も多様になっている。即ち、近来の移動端末は音声通話サービスに附加して短文メッセージ　サービス及び無線インターネット　サービスを提供している。また、前記各々のサービスはコンテンツ提供方法によりさらに細分化されている。
【０００２】
このような移動端末に対するサービスの一つで、移動端末の位置情報提供サービスがある。前記のような位置情報提供サービスは、次のように二つの技術を応用して可能になる。
【０００３】
それの一つでセル基盤の位置情報提供サービスがあるが、前記のようなセル基盤サービスは移動端末のある基地局の位置に基づいてサービスを提供している。よって、前記のようなセル基盤の位置情報提供サービスは、基地局半径範囲の正確度を提供することになる。従って、緊急状況発生又は精密な位置情報提供を要求するサービスには、前記のようなセル基盤の位置情報提供サービスを適用することに困難がある。
【０００４】
一方、位置情報提供サービスを提供することができる他のものでは、移動端末でのジーピーエス（ＧＰＳ；Ｇｌｏｂａｌ　Ｐｏｓｉｔｉｏｎｉｎｇ　Ｓｙｓｔｅｍ）基盤技術を応用する方法がある。このようなジーピーエスは衛星を利用した位置情報提供技術として、精密度がセル基盤の位置情報提供サービスに比べて非常に増加することになる。しかし、このようなジーピーエスを利用したサービスが可能になるためには、移動端末にジーピーエス機能が支援されるべき必要があるが、一般に移動端末にジーピーエス機能を与えるためには費用が増加することになる問題点がある。従って、全ての移動端末でジーピーエスによる位置情報提供サービスを提供することが困難な問題点がある。
【０００５】
〔発明が解決しようとする技術的課題〕
従って、本発明は前述した諸般問題点を解決するため提案されたものであり、移動端末が支援可能な位置情報提供機能及びサービス要請形態に従い、セル基盤及びジーピーエス基盤の位置基盤サービスを提供することができるモバイル位置基盤サービス　システムを提供することにその目的がある。
【０００６】
〔発明の構成〕
前述した目的を達成するため提案された本発明の目的によれば、モバイル位置基盤サービス　システムは位置情報サービスを要請され、要請された移動端末に対する位置情報を要請し、要請された結果に伴い移動端末の位置情報をインターネットを介して提供するための応用サーバーと；前記応用サーバーからの位置情報要請を受信し、要請された移動端末の識別番号に基づいて移動端末が属するモバイル　スイッチング　センターを照会し、該当モバイル　スイッチング　センターが提供することができる位置情報サービスの種類に従い移動端末の位置を識別して前記応用サーバーに伝送させる位置情報提供システムで構成されることを特徴とする。
【０００７】
さらに、本発明によるモバイル位置基盤サービス方法は位置決定装置からＳＭＤＰＰメッセージを受信し、受信されたＳＭＤＰＰメッセージに含まれたデータメッセージを抽出する段階；前記ＳＭＤＰＰメッセージが位置基盤サービスを開始する場合に該当する移動端末のトラフィック　チャネルが割り当てられているのかを確認する段階；該当する移動端末にトラフィック　チャネルが割り当てられている場合は、割り当てられているトラフィック　チャネルを用いて前記データ　メッセージを移動端末に伝送させる段階；該当する移動端末にトラフィック　チャネルが割り当てられていない場合はトラフィック　チャネルを新たに割り当て、割り当てられたトラフィック　チャネルを用いて前記データ　メッセージを移動端末に伝送させる段階；及び移動端末からの応答メッセージに基づいて位置決定装置に応答する段階で構成されることを特徴とする。
【０００８】
以下、添付の図面を参照して本発明の実施例を詳しく説明することにする。
【０００９】
図１は、本発明の実施例に伴うセル基盤、及びジーピーエス基盤の位置基盤サービスを提供することができるモバイル位置基盤サービス　システムの構成を示す図面である。図面で参照符号１００は２Ｇ移動電話網システム、２００は２．５Ｇ移動電話網システム、３００は位置情報提供システム、４００は応用サーバー、６００はウェブ　サーバーを各々示したものである。
【００１０】
前記２Ｇ移動電話網システム１００の１１０は基地局（ＢＴＳ：Ｂａｓｅ　Ｔｒａｎｓｃｅｉｖｅｒ　Ｓｔａｔｉｏｎ）、１２０は基地局制御装置（ＢＳＣ：Ｂａｓｅ　Ｓｔａｔｉｏｎ　Ｃｏｎｔｒｏｌｌｅｒ）、１３０はモバイル　スイッチング　センター（ＭＳＣ：Ｍｏｂｉｌｅ　Ｓｗｉｔｃｈｉｎｇ　Ｃｅｎｔｅｒ）、１４０は網連動装置（ＩＷＦ：ｉｎｔｅｒｗｏｒｋｉｎｇ　Ｆａｃｉｌｉｔｙ）、１５０は信号交換システム（ＳＴＰ：Ｓｉｇｎａｌ　Ｔｒａｎｓｆｅｒ　Ｐｏｉｎｔ）、１６０は加入者位置登録器（ＨＬＲ：Ｈｏｍｅ　Ｌｏｃａｔｉｏｎ　Ｒｅｇｉｓｔｅｒ）を示す。また、位置情報提供システム３００の３１０は位置決定装置（ＰＤＥ：Ｐｏｓｉｔｉｏｎｉｎｇ　Ｄｅｔｅｒｍｉｎａｔｉｏｎ　Ｅｎｔｉｔｙ）、３２０はモバイル位置センター（ＭＰＣ：Ｍｏｂｉｌｅ　Ｐｏｓｉｔｉｏｎｉｎｇ　Ｃｅｎｔｅｒ）を示す。さらに、２．５Ｇ移動電話網システム２００の２１０は基地局（ＢＴＳ：Ｂａｓｅ　Ｔｒａｎｓｃｅｉｖｅｒ　Ｓｔａｔｉｏｎ）、２２０は基地局制御装置（ＢＳＣ：Ｂａｓｅ　Ｓｔａｔｉｏｎ　Ｃｏｎｔｒｏｌｌｅｒ）、２３０はモバイル　スイッチング　センター（ＭＳＣ：Ｍｏｂｉｌｅ　ＳｗｉｔｃｈｉｎｇＣｅｎｔｅｒ）、２４０は信号交換システム（ＳＴＰ：Ｓｉｇｎａｌ　Ｔｒａｎｓｆｅｒ　Ｐｏｉｎｔ）を示す。
【００１１】
図面を参照すれば、２Ｇ移動電話網システム１００は、信号交換システム１５０を介して位置情報提供システム３００の位置決定装置３１０、及びモバイル位置センター３２０と接続される。同様に、２．５Ｇ移動電話網システム２００は、信号交換システム２４０を介して位置情報提供システム３００の位置決定装置３１０、及びモバイル位置センター３２０と接続される。
【００１２】
図面で応用サーバー４００はウェブ　サーバー６００からの要請に従い位置情報サービスを提供するもので、前記位置情報提供システム３００のモバイル位置センター３２０とＴＣＰ／ＩＰに接続される。
【００１３】
図２は、本発明の実施例に伴うジーピーエス（ＧＰＳ）基盤サービスのメッセージ流れを示した図面である。ここで参照符号４００は応用サーバー（Ａｐｐｌｉｃａｔｉｏｎ　Ｓｅｒｖｅｒ）、３２０はモバイル位置センター（ＭＰＣ）、１６０は加入者位置登録器（ＨＬＲ）、３１０は位置決定装置（ＰＤＥ）を示す。
【００１４】
先ず、応用サーバー４００は、モバイル位置センターに位置サービス（Ｌｏｃａｔｉｏｎ　Ｒｅｑｕｅｓｔ）を要請する（Ｓ１１０）。そうすると、モバイル位置センター３２０はサービスを要請した移動端末のＭＩＮ（Ｍｏｂｉｌｅ　Ｉｄｅｎｔｉｆｉｃａｔｉｏｎ　Ｎｕｍｂｅｒ）に基づき、加入者位置登録器１６０にＳＭＳＲＥＱ要請メッセージを伝送する（Ｓ１２０）。この時、前記ＳＭＳＲＥＱメッセージのパラメータ中、ＳＭＳＮＯＴＩＮＤを２に伝送してＳＭＳペンディングを防止する。前記加入者位置登録器１６０は、モバイル位置センター３２０にＳＭＳＲＥＱ返送結果メッセージを伝送する（Ｓ１３０）。そうすると、　モバイル位置センター３２０は前記受信されたＳＭＳＲＥＱ返送結果メッセージに含まれたＳＭＳＡＤＤＲを分析し、着信交換機がジーピーエス基盤位置サービス機能が可能なのかを確認する。この時、前記モバイル位置センター３２０は前記で判断された着信交換機のジーピーエス基盤位置サービスの支援可否に基づき、位置決定装置３１０にＧＰＯＳＲＥＱ要請メッセージを伝送する（Ｓ１４０）。前記ＧＰＯＳＲＥＱメッセージと共に伝送されるパラメータは、ＭＯＢＩＮＦＯと　ＰＯＳＲＥＱＴＹＰＥ及び　ＭＰＣＡＰが含まれる。
【００１５】
次いで、位置決定装置３１０は　ＩＳ−８０１−１規格に基づき、位置基盤サービスが要請された移動端末の位置情報を得ることになる（Ｓ１５０〜Ｓ２３０）。このようにして前記位置決定装置３１０に受信された移動端末の位置情報は、ｇｐｏｓｒｅｑメッセージによりモバイル位置センター３２０に伝送される。前記　ｇｐｏｓｒｅｑメッセージのパラメータには、　ＰＯＳＩＮＦＯとＰＯＳＲＥＳＵＬＴが含まれる。
【００１６】
そうすると、モバイル位置センター３２０は応用サーバー４００に位置結果（Ｌｏｃａｔｉｏｎ　Ｒｅｓｕｌｔ）を伝送させる（Ｓ２５０）。一方、位置決定装置３１０は前記のようにモバイル位置センター３２０にメッセージを伝送した後、モバイル　スイッチング　センター（ＭＳＣ）にＳＭＤＰＰメッセージを伝送してモバイル　スイッチング　センターに生成された該当の資源を解除させる（Ｓ２６０，Ｓ２７０）。
【００１７】
図３は、本発明の実施例に伴うセル（Ｃｅｌｌ）基盤サービスのメッセージ流れの一例を示した図面である。ここで、参照符号４００は応用サーバー（Ａｐｐｌｉｃａｔｉｏｎ　Ｓｅｒｖｅｒ）、３２０はモバイル位置センター（ＭＰＣ）、１６０は加入者位置登録器（ＨＬＲ）、３１０は位置決定装置（ＰＤＥ）を示す。
【００１８】
先ず、応用サーバー４００は、モバイル位置センター３２０に位置サービス（Ｌｏｃａｔｉｏｎ　Ｒｅｑｕｅｓｔ）を要請する（Ｓ４１０）。そうすると、モバイル位置センター３２０は該当する移動端末のＭＩＮ（Ｍｏｂｉｌｅ　Ｉｄｅｎｔｉｆｉｃａｔｉｏｎ　Ｎｕｍｂｅｒ）に基づき、ＳＭＳＲＥＱ要請メッセージを加入者位置登録器１６０に伝送する（Ｓ４２０）。この時、前記ＳＭＳＲＥＱメッセージのパラメータ中、　ＳＭＳＮＯＴＩＮＤを２に伝送してＳＭＳペンディングを防止する。前記ＳＭＳＲＥＱを受信した加入者位置登録器１６０は、ｓｍｓｒｅｑ返送結果メッセージをモバイル位置センター３２０に伝送させる（Ｓ４３０）。そうすると、　モバイル位置センター３２０は受信されたｓｍｓｒｅｑ返送結果メッセージを分析し、着信交換機のジーピーエス基盤位置サービスの支援可否を確認する。この時、前記モバイル位置センター３２０は前記着信交換機のジーピーエス基盤位置サービス支援可否の判断に基づき、加入者位置登録器３１０にＰＡＧＥＲＥＱメッセージを伝送する（Ｓ４４０）。前記ＰＡＧＥＲＥＱメッセージには、移動端末のＭＩＮパラメータが含まれる。
【００１９】
次いで、加入者位置登録器１６０は前記ＰＡＧＥＲＥＱメッセージを受信し、現在着信移動端末がローミング中のモバイル　スイッチング　センター（ＭＳＣ）にＰＡＧＥＲＥＱメッセージを伝送する（Ｓ４５０）。前記ＰＡＧＥＲＥＱメッセージには、ＭＩＮとＥＳＮパラメータが含まれて伝送される（Ｓ４５０）。そうすると、モバイル　スイッチング　センター（ＭＳＣ）は該当する移動端末の位置を把握した後、ｐａｇｅｒｅｑメッセージを加入者位置登録器１６０に伝送する（Ｓ４６０）。前記ｐａｇｅｒｅｑメッセージには、ＡＣＣＤＥＮ、ＭＳＣＩＤ、ＬｏｃａｔｉｏｎＡｒｅａＩＤパラメータが含まれる。この時、モバイル　スイッチング　センター（ＭＳＣ）は該当する端末の位置把握が失敗することになれば、前記ＡＣＣＤＥＮパラメータに失敗原因を設ける。前記、ＡＣＣＤＥＮの値が“Ｂｕｓｙ”の場合は加入者端末がＢｕｓｙであるとのことを示し、正常的な位置把握が可能である。
【００２０】
次いで、加入者位置登録器１６０は、前記モバイル　スイッチング　センター（ＭＳＣ）から受信されたｐａｇｅｒｅｑメッセージをモバイル位置センター３２０に伝送させる（Ｓ４７０）。前記ｐａｇｅｒｅｑメッセージには、ＡＣＣＤＥＮ、ＭＳＣＩＤ、ＬｏｃａｔｉｏｎＡｒｅａＩＤパラメータが含まれる。最後にモバイル位置センター３２０は前記受信されたｐａｇｅｒｅｑメッセージに基づき、応用サーバー４００に位置サービスに対して応答することになる（Ｓ４８０）。
【００２１】
図４は、本発明の実施例に伴うセル基盤サービスのメッセージ流れの他の例を示した図面である。ここで、参照符号４００は応用サーバー（Ａｐｐｌｉｃａｔｉｏｎ　Ｓｅｒｖｅｒ）、３２０はモバイル位置センター（ＭＰＣ）、１６０は加入者位置登録器（ＨＬＲ）、３１０は位置決定装置（ＰＤＥ）を示す。
【００２２】
先ず、応用サーバー４００は、モバイル位置センター３２０に位置サービス要請（Ｌｏｃａｔｉｏｎ　Ｒｅｑｕｅｓｔ）を行う（Ｓ５１０）。このように位置サービスを要請されたモバイル位置センター３２０は、加入者位置登録器１６０にＰＡＧＥＲＥＱメッセージを伝送する（Ｓ５２０）。前記ＰＡＧＥＲＥＱメッセージには、ＭＩＮ（Ｍｏｂｉｌｅ　Ｉｄｅｎｔｉｆｉｃａｔｉｏｎ　Ｎｕｍｂｅｒ）パラメータが含まれる。
【００２３】
次いで、加入者位置登録器１６０は前記受信されたＰＡＧＥＲＥＱメッセージに基づき、現在着信移動端末がローミング中のモバイル　スイッチング　センター（ＭＳＣ）を照会し、該当するモバイル　スイッチング　センター（ＭＳＣ）にＰＡＧＥＲＥＱメッセージを伝送する（Ｓ５３０）。前記モバイル　スイッチング　センター（ＭＳＣ）に伝送されるＰＡＧＥＲＥＱメッセージには、　ＭＩＮとＥＳＮパラメータが含まれる。
【００２４】
そうすると、モバイル　スイッチング　センター（ＭＳＣ）は該当の移動端末（ＭＳ）の位置を把握した後、ｐａｇｅｒｅｑメッセージを加入者位置登録器１６０に伝送する（Ｓ５４０）。前記ｐａｇｅｒｅｑメッセージにはＡＣＣＤＥＮ、ＭＳＣＩＤ、ＬｏｃａｔｉｏｎＡｒｅａＩＤパラメータが含まれる。
【００２５】
この時、モバイル　スイッチング　センター（ＭＳＣ）は該当する端末の位置把握が失敗することになれば、前記ＡＣＣＤＥＮパラメータに失敗原因を設ける。一方、ＡＣＣＤＥＮの値が“Ｂｕｓｙ”の場合は加入者端末がＢｕｓｙであるとのことを示し、正常的な位置把握が可能である。
【００２６】
次いで、加入者位置登録器１６０は、前記モバイル　スイッチング　センター　（ＭＳＣ）から受信されたｐａｇｅｒｅｑメッセージをモバイル位置センター３２０に伝送させる（Ｓ５５０）。前記ｐａｇｅｒｅｑメッセージには、　ＡＣＣＤＥＮ、ＭＳＣＩＤ、ＬｏｃａｔｉｏｎＡｒｅａＩＤパラメータが含まれる。最後にモバイル位置センター３２０は、前記受信されたｐａｇｅｒｅｑメッセージに基づいて応用サーバー４００に位置サービスに対し応用することになる（Ｓ５６０）。
【００２７】
本発明の実施例に伴う位置基盤サービスは、交換機の課金に影響を及ぼさない。さらに、本発明の実施例に伴い伝送される位置基盤サービスと関連されたメッセージは、無線上で常にトラフィック　チャネル（Ｔｒａｆｆｉｃ　Ｃｈａｎｎｅｌ）を利用して伝送される。
【００２８】
次いで、本発明の実施例に伴い、モバイル　スイッチング　センターで加入者サービスの各々の状況別に位置基盤サービスの動作を詳しく説明することにする。
【００２９】
図５は、モバイル　スイッチング　センターで位置基盤サービスが進められる中にＳＭＳ着信のある場合の処理手続きを示したものである。
【００３０】
モバイル　スイッチング　センターで位置基盤サービスを行う中に短文メッセージ　サービスの着信が発生する場合、モバイル　スイッチング　センターは訪問者位置登録器を（ＶＬＲ）を介して短文メッセージ　サービスを待機させるようにし（Ｓ６１０）、モバイル　スイッチング　センターはＳＭＤＰＰ返送結果メッセージを短文メッセージ　センターに伝送する（Ｓ６２０）。この時、短文メッセージ　センターに伝送される返送結果メッセージのＳＭＳ＿ＣａｕｓｅＣｏｄｅは、例えば０×２４（ＳＭＳ伝送遅延）の値を有する。この時、位置基盤サービスは正常的に行う（Ｓ６３０）。また、位置基盤サービスが終了すると（Ｓ６４０）、モバイル　スイッチング　センターは短文メッセージ　センター（ＳＭＣ）に短文メッセージ識別メッセージ（ＳＭＳ　Ｎｏｔｉｆｉｃａｔｉｏｎ　Ｍｅｓｓａｇｅ）を伝送した後（Ｓ６５０）、短文メッセージ　サービス着信を行う（Ｓ６６０）。従って、位置基盤サービスが完了した後の動作で前記短文メッセージ識別メッセージを伝送する時点は、一般にモバイルスイッチング　センターで短文メッセージ待機フラグにより短文メッセージ識別メッセージを伝送する基準と同様である。
【００３１】
図６は、モバイル　スイッチング　センターで位置基盤サービスが進められる中にハンドオフが発生する場合の処理手続きを示したものである。
【００３２】
移動端末（Ｍｏｂｉｌｅ　Ｓｔａｔｉｏｎ）が呼を行っており位置基盤サービスが進められる中にハンドオフ（Ｈａｎｄ−Ｏｆｆ）となった場合に、モバイル　スイッチング　センターは位置基盤サービスのみを終了させ（Ｓ７２０）、通話トラフィック　チャネルは引続き維持させる（Ｓ７３０）。さらに、前記モバイル　スイッチング　センターは、位置決定装置（ＰＤＥ）にＳＭＤＰＰ返送結果メッセージを伝送させる（Ｓ７６０）。前記返送結果メッセージのＳＭＳ＿ＣａｕｓｅＣｏｄｅは、例えば０×０６（ネットワーク　インタフェース支援されない）の値を有する。
【００３３】
一方、移動端末が呼を行わず位置基盤サービスが進められている中にハンドオフ（Ｈａｎｄ−Ｏｆｆ）となった場合に、モバイル　スイッチング　センターは位置基盤サービスのみを終了させて（Ｓ７４０）トラフィック　チャネルを解除させる（Ｓ７５０）。さらに、前記モバイル　スイッチング　センターは、位置決定装置（ＰＤＥ）にＳＭＤＰＰ返送結果メッセージを伝送させる（Ｓ７６０）。前記返送結果メッセージのＳＭＳ＿ＣａｕｓｅＣｏｄｅは、例えば０×０６（ネットワーク　インタフェース支援されない）の値を有する。
【００３４】
ハンドオフが成功的に完了後、モバイル　スイッチング　センター（Ｓｅｒｖｉｎｇ　ＭＳＣ）は呼の維持状態で位置基盤サービスを実施時、前記モバイル　スイッチング　センターは位置決定装置にＳＭＤＰＰ返送結果メッセージを伝送させる。前記返送結果メッセージのＳＭＳ＿ＣａｕｓｅＣｏｄｅは、例えば０×０６（ネットワーク　インタフェース支援されない）の値を有する。
【００３５】
図７は、モバイル　スイッチング　センターで位置決定装置から受信された　ＳＭＤＰＰメッセージの処理手続きを示したものである。
先ず、位置決定装置（ＰＤＥ）は位置基盤サービスのためのＳＭＤＰＰ要請メッセージの伝送時、ＳＭＳテレサービス識別パラメータの長さ（Ｌｅｎｇｔｈ）を０に設ける。前記ＳＭＳテレサービス識別パラメータは、移動端末には伝送されない。何故ならば、無線上のデータ　バースト　メッセージ（ＤａｔａＢｕｒｓｔ　Ｍｅｓｓａｇｅ）のＣＨＡＲｉフィールドには、該当するフィールドが存在しないためである。
【００３６】
ＳＭＳベアラー　データ　パラメータ処理と関連し、ＳＭＤＰＰメッセージ内のサービス　インジケータ（Ｓｅｒｖｉｃｅ　Ｉｎｄｉｃａｔｏｒ）パラメータが“ＣＤＭＡ＿ＰＤＳ”となっている場合に（Ｓ８１０、Ｓ８１１）、モバイル　スイッチング　センターは位置基盤サービス　データ　メッセージ（ＬＢＳ　Ｄａｔａ　Ｍｅｓｓａｇｅ）を抽出する（Ｓ８１２）。前記抽出された位置基盤サービス　データ　メッセージは、無線上の前方向トラフィック　チャネル（Ｆｏｒｗａｒｄ　Ｔｒａｆｆｉｃ　Ｃｈａｎｎｅｌ）でデータ　バースト　メッセージのＣＨＡＲｉフィールドに含まれて移動端末に伝送される（Ｓ８１３）。
【００３７】
次いで、モバイル　スイッチング　センター（ＭＳＣ）、又は訪問者位置登録器（ＶＬＲ）に加入者のない状況でＳＭＤＰＰ　ＩＮＶＯＫＥを受信した場合に（Ｓ８２０）、モバイル　スイッチング　センターはアクション　コード（Ａｃｔｉｏｎ　Ｃｏｄｅ）が０×１２（資源割当）であれば（Ｓ８３０）位置登録を新たに行う。即ち、モバイル　スイッチング　センターは権限要求（ＱｕａｌｉｆｉｃａｔｉｏｎＲｅｑｕｅｓｔ）を行い（Ｓ８４０）、登録通知（ＲｅｇｉｓｔｒａｔｉｏｎＮｏｔｉｆｉｃａｔｉｏｎ）を行って登録させた後（Ｓ８５０）、位置基盤サービス処理過程を引続き行う。この時、該当モバイル　スイッチング　センター／訪問者位置登録器領域に移動端末のある場合は、正常的な位置基盤サービスを行う（Ｓ８７０）。若し、該当モバイル　スイッチング　センター／訪問者位置登録器領域に移動端末のない場合は、ＳＭＤＰＰ返送結果メッセージのＳＭＳ＿ＣａｕｓｅＣｏｄｅは０×２０（ページ応答無し）に設けてＰＤＥに伝送する（Ｓ８６１）。前記アクション　コード（Ａｃｔｉｏｎ　Ｃｏｄｅ）パラメータは、指定された機能要素により行われる動作を示すものであり、ＳＭＳ＿ＣａｕｓｅＣｏｄｅパラメータは短文メッセージを伝達することができなかった理由を示すものである。
【００３８】
さらに、前記モバイル　スイッチング　センター（ＭＳＣ）、又は訪問者位置登録器（ＶＬＲ）に加入者のない状況でＳＭＤＰＰ要請メッセージを受信した場合に、モバイル　スイッチング　センターはアクション　コード（Ａｃｔｉｏｎ　Ｃｏｄｅ）が０×１２（資源割当）でなければ、ＳＭＤＰＰ返送結果メッセージをＰＤＥに伝送する（Ｓ８３１）。この時、前記返送結果メッセージのＳＭＳ＿ＣａｕｓｅＣｏｄｅは、“Ｄｅｓｔｉｎａｔｉｏｎ　ｎｏ　ｌｏｎｇｅｒ　ａｔ　ｔｈｉｓ　ａｄｄｒｅｓｓ”に設けることになる。
【００３９】
図８は、モバイル　スイッチング　センターで資源割当及び資源解除の処理手続きを示したものである。
【００４０】
先ず、モバイル　スイッチング　センター（ＭＳＣ）での資源割当に対し説明する（Ｓ９１０）。モバイルがアイドル状態（Ｉｄｌｅ　Ｓｔａｔｅ）で（Ｓ９１１）位置決定装置からアクション　コード（Ａｃｔｉｏｎ　Ｃｏｄｅ）が０×１２（資源割当）のＳＭＤＰＰ要請メッセージ受信の時、新しいトラフィック　チャネルを割当てて（Ｓ９１２）位置基盤サービスを始める（Ｓ９１３）。この時、新しいトラフィック　チャネルの割当てが失敗することになれば、モバイル　スイッチング　センター（ＭＳＣ）はＳＭＤＰＰ返送結果メッセージのＳＭＳ＿ＣａｕｓｅＣｏｄｅを０×２０（Ｎｏ　Ｐａｇｅ　Ｒｅｓｐｏｎｓｅ）に設けて伝送する。一方、モバイルがＣｏｎｖｅｒｓａｔｉｏｎ状態であれば、新しいトラフィック　チャネルを割当てず存在するトラフィック　チャネルを利用して位置基盤サービスを始める（Ｓ９１４）。
【００４１】
次いで、モバイル　スイッチング　センター（ＭＳＣ）での割当てられた資源の解除に対し説明する（Ｓ９２０）。先ず、トラフィック　チャネル（Ｔｒａｆｆｉｃ　Ｃｈａｎｎｅｌ）が位置基盤サービスのみ行うため割当てられており、呼が存在しなければモバイル　スイッチング　センター（ＭＳＣ）は移動端末（Ｍｏｂｉｌｅ　Ｓｔａｔｉｏｎ）と接続されたトラフィック　チャネルを解除させる（Ｓ９３１）。さらに、ＳＭＤＰＰ返送結果メッセージをＰＤＥに伝送する（Ｓ９５０）。この時、ＳＭＳ＿ＢｅａｒｅｒＤａｔａパラメータは、移動端末から受信された応答メッセージ（Ｒｅｓｐｏｎｓｅ　Ｍｅｓｓａｇｅ）で設けられる。一方、移動端末（ＭＳ）に対し音声呼が存在していれば（Ｓ９３０）、モバイル　スイッチング　センター（ＭＳＣ）は音声通話が続けられるようトラフィック　チャネルは維持させて位置基盤サービス　セッションのみを終了させる（Ｓ９４０）。また、ＳＭＤＰＰ返送結果メッセージをＰＤＥ　に伝送する（Ｓ９５０）。この時、ＳＭＳ＿ＢｅａｒｅｒＤａｔａパラメータは、移動端末から受信された応答メッセージ（Ｒｅｓｐｏｎｓｅ　Ｍｅｓｓａｇｅ）で設けられる。最後に、位置基盤サービス　セッションが進行中でなければ、モバイル　スイッチング　センター（ＭＳＣ）はＳＭＳ＿ＣａｕｓｅＣｏｄｅパラメータを０×６Ｃ（Ｓｅｓｓｉｏｎ　ｎｏｔ　ａｃｔｉｖｅ）に設けて、ＳＭＤＰＰ返送結果メッセージをＰＤＥに伝送する。
【００４２】
次は、モバイル　スイッチング　センター（ＭＳＣ）での位置基盤サービス　セッションの中止（Ａｂｏｒｔ）に対し説明する。
【００４３】
先ず、位置基盤サービスがアイドル状態の移動端末（ＭＳ）から始まり、移動端末（ＭＳ）が発信を試みた場合に、モバイル　スイッチング　センター（ＭＳＣ）は移動端末から解除メッセージ（Ｒｅｌｅａｓｅ　Ｍｅｓｓａｇｅ）が受信されると、位置基盤サービス　セッションを終了し一般の呼発信手続きを行う。この時、前記モバイル　スイッチング　センター（ＭＳＣ）は、ＳＭＳ＿ＣａｕｓｅＣｏｄｅパラメータを　０×６Ｃ（Ｓｅｓｓｉｏｎ　ｎｏｔ　ａｃｔｉｖｅ）に設けてＳＭＤＰＰ返送結果メッセージをＰＤＥに伝送する。
【００４４】
若し、位置基盤サービスがアイドル状態の移動端末（ＭＳ）から始まり、移動端末（ＭＳ）が着信を試みた場合は、モバイル　スイッチング　センター（ＭＳＣ）は位置基盤サービス　セッションを終了する。さらに、モバイル　スイッチングセンター（ＭＳＣ）は、ＳＭＳ＿ＣａｕｓｅＣｏｄｅパラメータを０×２１（Ｄｅｓｔｉｎａｔｉｏｎ　Ｂｕｓｙ）に設けてＳＭＤＰＰ返送結果メッセージをＰＤＥに伝送する。
【００４５】
また、位置基盤サービスがビジー状態（Ｂｕｓｙ　Ｓｔａｔｅ）の移動端末（ＭＳ）から始まり、移動端末（ＭＳ）が呼を終了する場合はモバイル　スイッチング　センター（ＭＳＣ）は位置基盤サービス　セッションを終了する。さらに、前記モバイル　スイッチング　センター（ＭＳＣ）は、ＳＭＳ＿ＣａｕｓｅＣｏｄｅパラメータを０×６Ｃ（Ｓｅｓｓｉｏｎ　ｎｏｔ　ａｃｔｉｖｅ）に設けてＳＭＤＰＰ返送結果メッセージをＰＤＥに伝送する。
【００４６】
一方、位置基盤サービスが成される中に移動端末（ＭＳ）とのトラフィック　チャネルの連結が断絶された場合は、モバイル　スイッチング　センター（ＭＳＣ）は位置基盤サービス　セッションを終了する。さらに、移動端末（ＭＳ）から解除メッセージ（Ｒｅｌｅａｓｅ　Ｍｅｓｓａｇｅ）が受信されると、ＳＭＳ＿ＣａｕｓｅＣｏｄｅパラメータを０×６Ｃ（Ｓｅｓｓｉｏｎ　ｎｏｔ　ａｃｔｉｖｅ）に設けてＳＭＤＰＰ返送結果メッセージをＰＤＥに伝送する。若し、移動端末（ＭＳ）から確認メッセージが受信されず時間経過（Ｔｉｍｅｏｕｔ）となれば、モバイル　スイッチング　センター（ＭＳＣ）はＳＭＳ＿ＣａｕｓｅＣｏｄｅパラメータを０×２２（Ｎｏ　Ａｃｋｎｏｗｌｅｄｇｅｍｅｎｔ）に設けてＳＭＤＰＰ返送結果メッセージをＰＤＥに伝送する。
【００４７】
位置基盤サービス中に移動端末（ＭＳ）から無線データ接続要請のある場合、モバイル　スイッチング　センター（ＭＳＣ）は位置基盤サービス　セッションを終了し、無線データ接続手続きを行う。また、モバイル　スイッチング　センター（ＭＳＣ）は、ＳＭＳ＿ＣａｕｓｅＣｏｄｅパラメータを０×６Ｃに設けてＳＭＤＰＰ返送結果メッセージをＰＤＥに伝送する。
【００４８】
さらに、移動端末（ＭＳ）で位置基盤サービスが成される中に移動端末の電源がオフされると、モバイル　スイッチング　センター（ＭＳＣ）は位置基盤サービス　セッションを終了させ、ＰＤＥにＳＭＤＰＰ返送結果メッセージを伝送する。この時、伝送されるＳＭＳ＿ＣａｕｓｅＣｏｄｅパラメータは、０×６Ｃ（Ｓｅｓｓｉｏｎ　ｎｏｔａｃｔｉｖｅ）に設けられる。一方、位置基盤サービス中に移動端末（ＭＳ）のバッテリーが本体と分離された場合は、モバイル　スイッチング　センター（ＭＳＣ）は位置基盤サービス　セッションを終了させ、ＰＤＥにＳＭＤＰＰ返送結果メッセージを伝送する。この時、移動端末（ＭＳ）から解除メッセージ（Ｒｅｌｅａｓｅ　Ｍｅｓｓａｇｅ）が受信された場合にＳＭＳ＿ＣａｕｓｅＣｏｄｅパラメータは０×６Ｃ（Ｓｅｓｓｉｏｎ　ｎｏｔ　ａｃｔｉｖｅ）に設けられ、確認（Ａｃｋ）メッセージが受信されない場合はＳＭＳ＿ＣａｕｓｅＣｏｄｅパラメータは０×２２（Ｎｏ　Ａｃｋｎｏｗｌｅｄｇｅｍｅｎｔ）に設けられる。
【００４９】
最後に、モバイル　スイッチング　センター（ＭＳＣ）は位置基盤セッションの間ＰＤＥからＳＭＤＰＰ要請メッセージを受信するごとに、所謂“Ｉｎａｃｔｉｖｉｔｙ　Ｔｉｍｅｒ”を開始させる。また、前記“Ｉｎａｃｔｉｖｉｔｙ　Ｔｉｍｅｒ”が終了すると、モバイルスイッチング　センター（ＭＳＣ）は位置基盤サービスを終了させＳＭＤＰＰ返送結果メッセージをＰＤＥに伝送する。この時、Ａｃｔｉｏｎコードが資源割当の場合に、ＳＭＳ＿ＣａｕｓｅＣｏｄｅパラメータは０×２０（Ｎｏ　Ｐａｇｅ　Ｒｅｓｐｏｎｓｅ）に設けられる。さらに、トラフィック　チャネル割当が失敗した場合に、ＳＭＳ＿ＣａｕｓｅＣｏｄｅパラメータは０×４２（Ｏｔｈｅｒ　Ｒａｄｉｏ　Ｉｎｔｅｒｆａｃｅ　Ｐｒｏｂｌｅｍ）に設けられる。さらに、移動端末（ＭＳ）からＡｃｋ　を受信できなかった場合に、ＳＭＳ＿ＣａｕｓｅＣｏｄｅパラメータは０×２２（Ｎｏ　Ａｃｋｎｏｗｌｅｄｇｅｍｅｎｔ）に設けられる。
【００５０】
【発明の効果】
前記のように本発明によれば、移動通信加入者の移動端末のサービス機能又は交換機の位置サービス機能に従いセル基盤、又はジーピーエス基盤で選択的に位置基盤サービスを提供可能になることにより、全ての端末に対し位置基盤サービスを提供することができるのは勿論、ジーピーエス（ＧＰＳ）基盤で位置基盤サービスを提供する場合、Ｎｏ７信号網を介したＳＭＤＰＰメッセージを介して位置基盤サービスを提供することになって、移動端末の音声通話使用中にもジーピーエス（ＧＰＳ）を介した位置基盤サービスが可能になる。
【図面の簡単な説明】
【図１】本発明の実施例に係るセル基盤、及びジーピーエス基盤の位置基盤サービスを提供することができるモバイル位置基盤サービス　システムの構成を示した図面。
【図２】本発明の実施例に係るモバイル位置基盤サービス　システムでジーピーエス基盤サービスのメッセージ流れを示した図面。
【図３】本発明の実施例に係るモバイル位置基盤サービス　システムでセル基盤サービスのメッセージ流れの一例を示した図面。
【図４】本発明の実施例に係るモバイル位置基盤サービス　システムでセル基盤サービスのメッセージ流れの他の例を示した図面。
【図５】モバイル　スイッチング　センターで位置基盤サービスが進められる中に、ＳＭＳ着信のある場合の処理手続きを示したフロー図。
【図６】モバイル　スイッチング　センターで位置基盤サービスが進められる中に、ハンドオフが発生される場合の処理手続きを示したフロー図。
【図７】モバイル　スイッチング　センターで位置決定装置から受信されたＳＭＤＰＰメッセージの処理手続きを示したフロー図。
【図８】モバイル　スイッチング　センターで資源割当及び資源解除の処理手続きを示したフロー図である。
【符号の説明】
１２０、２２０：ＢＳＣ（Ｂａｓｅ　Ｓｔａｔｉｏｎ　Ｃｏｎｔｒｏｌｌｅｒ）
１３０、２３０：ＭＳＣ（Ｍｏｂｉｌｅ　Ｓｗｉｔｃｈｉｎｇ　Ｃｅｎｔｅｒ）
１５０、２４０：ＳＴＰ（Ｓｉｇｎａｌ　Ｔｒａｎｓｆｅｒ　Ｐｏｉｎｔ）
１６０：ＨＬＲ（Ｈｏｍｅ　Ｌｏｃａｔｉｏｎ　Ｒｅｇｉｓｔｅｒ）
３１０：ＰＤＥ（Ｐｏｓｉｔｉｏｎｉｎｇ　Ｄｅｔｅｒｍｉｎａｔｉｏｎ　Ｅｎｔｉｔｙ）
３２０：ＭＰＣ（Ｍｏｂｉｌｅ　Ｐｏｓｉｔｉｏｎｉｎｇ　Ｃｅｎｔｅｒ）
４００：応用サーバー
６００：ウェブ　サーバー
【図１】
2004080746.tif 000003
【図２】
2004080746.tif 000004
【図３】
2004080746.tif 000005
【図４】
2004080746.tif 000006
【図５】
2004080746.tif 000007
【図６】
2004080746.tif 000008
【図７】
2004080746.tif 000009
【図８】
2004080746.tif 000010